【事件の表示】
　特願２００２−３６７９６５「電動機」拒絶査定不服審判事件〔平成１６年７月１５日出願公開，特開２００４−２０１４２８〕について，次のとおり審決する。
【結　論】
　本件審判の請求は，成り立たない。
【理　由】
１．手続の経緯　
　本願は，平成１４年１２月１９日に特許出願されたものであって，平成１９年１１月２日付けで拒絶査定がなされ，同年１２月６日付けで拒絶査定不服審判が請求された。これに対し，当審にて平成２１年６月１７日付けで拒絶理由通知を行い，これに応答して同年８月２０日付けの手続補正書により明細書の補正がなされた。
　
２．本願発明
　本願の請求項１に係る発明（以下，「本願発明」という。）は，平成２１年８月２０日付けの手続補正書により補正された明細書及び出願当初の図面の記載からみて，特許請求の範囲の請求項１に記載された次の事項により特定されるとおりのものと認める。
　
「環状のヨークと前記ヨークの内周部に配置された複数のティースとを有し，複数の前記ティース間にスロットが設けられた固定子鉄心の前記ティースに３相集中巻線を施してなる固定子と，前記固定子の内周に僅かな空隙を介して対向し，回転自在に保持され，回転子鉄心内部あるいは表面に永久磁石を設けてなる回転子により構成され，前記固定子鉄心の外周の一部が密接してハウジングに保持されているブラシレスモータにおいて，前記ティースの外周側に位置する前記ヨークに，軸方向に貫通する貫通穴を設け，かつ前記スロットの外周側に位置する前記ヨークの外周に切欠き部を設けることで，前記固定子鉄心の外周が
前記貫通穴及び
　
３．引用例
　当審における拒絶の理由に引用した本願出願前に頒布された刊行物である
　　特開２００２−１０１５７９号公報（以下，「引用例１」という。）
には，図面とともに次の事項が記載されている。
　
・「【０００１】
【発明の属する技術分野】本件発明は，集中巻モータの構造に係わるものである。」
　
・「【０００３】従来の，エアコンや冷蔵庫の圧縮機等に使用される集中巻のモータは図７に示すように，ステータ６０とロータ８０からなり，ステータ６０はステータコア６１に設けられた６本のティース６２に，絶縁物（絶縁フィルム，インシュレータ等：図示せず）を介して直接３相巻線６３Ｕ，６３Ｖ，６３Ｗを施してなる。
【０００４】ステータコア６１は巻線が施されているティース本体部６４と，ロータ外周に面し，前記ティース本体部６４の先端に，通常ティース本体部６４より幅広に配置されたティース先端部６５と，前記ティース本体部６４の外周部をつなぐ略環状のヨーク部６６からなる。
【０００５】ロータ８０は，ロータコア８１内部に設けられた永久磁石埋設用孔８８に永久磁石８２を埋設してなり，軸方向の両端に端板（図示せず）を配し，ロータコア８１に設けられた貫通孔８３にリベット（図示せず）を通し，かしめることで固定されている。
【０００６】ロータ８０はステータコア６１に施された巻線に流れる電流による回転磁界によって，シャフト８４を中心にして回転している。
【０００７】巻線は，Ｕ，Ｖ，Ｗ相の３相であり，互いにスター結線されており，同時に３相中の２相が通電して駆動される１２０°矩形波通電である。また，印加電圧はキャリア周波数を２０ｋＨｚ以下のＰＷＭ制御によって変化させられる。
【０００８】ステータコア６１の外周には，略半円形状の切り欠き６７を有する。これは，ステータ６０が圧縮機のシェル（図示せず）に焼きばめ圧入された時，圧縮機のシェルとステータコア６１との間に貫通孔を有することになり，冷媒の通路となる。」
　
・「【０００９】
【発明が解決しようとする課題】Ｕ相からＶ相に向かって電流が流れているとき，Ｕ相巻線を施したティースがＮ極（またはＳ極），Ｖ相巻線を施したティースがＳ極（またはＮ極）である。Ｗ相は極性を有さない。このとき，Ｎ極からＳ極に磁束が流れるため，Ｕ相巻線を施したティースとＶ相巻線を施したティースは先端部において互いに引き合う。このとき，Ｕ相巻線を施したティースとＶ相巻線を施したティースが互いに引き合う方向にティースに応力がかかり，その力がヨーク部に伝わり，ヨーク部を主として振動させている。
【００１０】この力はＰＷＭ駆動の場合，キャリア周波数によって加振させられる。
【００１１】これにより分布巻と比較して集中巻は，ヨークの円環振動（楕円振動）が発生しやすく，キャリア周波数付近の音が増大する可能性がある。特に４極のモータの場合は，１８０度対称位置の２箇所に上記のような力が集中するため，特に楕円振動が発生しやすく，音となりやすい。
【００１２】対策として，ヨーク部の幅を小さくして減衰を大きくする方法があるが，これは，磁路幅を小さくすることになり，磁気飽和が発生してトルクが出ない，鉄損が増加する等，磁気特性に課題があった。
【００１３】本発明はこの電磁騒音を，磁気特性を犠牲にすることなく，可能な限り低減させることを目的とする。」
　
・「【００３１】エアコンや冷蔵庫の圧縮機等に使用される集中巻のモータはステータ１０とロータ８０からなり，ステータ１０はステータコア１１に設けられた６本のティース１２に，絶縁物（絶縁フィルム，インシュレータ等：図示せず）を介して直接３相巻線１３Ｕ，１３Ｖ，１３Ｗを施してなる。
【００３２】ステータコア１１は巻線が施されているティース本体部１４と，ロータ外周に面し，前記ティース本体部の先端に，通常ティース本体部より幅広に配置されたティース先端部１５と，前記ティース本体部の外周部をつなぐ略環状のヨーク部１６からなる。
【００３３】ロータ８０については，従来のモータと同様であるので，説明は省略する。
【００３４】ロータ極数は４，ステータスロット数が６の永久磁石埋込型モータである。埋込磁石型においては，インダクタンスが大きくなるため，同一電流における磁束量が増加し，加振力が増加する傾向にある。さらに，永久磁石を希土類磁石（ネオジ−鉄−ボロン系）を用いた場合，保磁力が大きいため，加振力がさらに増加する。
【００３５】３相巻線１３Ｕ，１３Ｖ，１３Ｗは，互いにスター結線されており，同時に３相中の２相が通電して駆動される１２０°矩形波通電である。ここで，３相中１相を常に無通電とすることにより，誘起電圧の検出を可能とし，センサレス制御が可能である。しかし，矩形波通電であると，通電の入り切り時には，巻線に流れる電流が短時間に大きく変化するため，ここで大きな加振力となる。特に，集中巻では，１本のティースに集中されて１つの相のみの巻線が施されているため，電流の入り切りがそのままティースに発生する磁束の変化に影響し，振動及び騒音が特に顕著となる。」
　
・「【００３７】ヨーク部１６には，回転方向に長いスリット１７を６個設けている。スリットがスロット数と同数であることにより，防振効果が顕著となる。スリット１７の位置は，スロット１８の底部１８ｂとステータコア外周部１１ｏの中心か，それよりスロットの底部１８ｂ寄りに設けられている。ティースに働く加振力に起因するヨーク部の円環振動は，主としてスリット１７の内側のヨーク部の幅によって決まる。したがって，スリット位置を上記のようにすると，剛性を低下させ減衰を大きくすることが可能である。また，固有振動数を小さくできる。図３に，スリット位置と楕円モードの固有振動数の関係を示す。スリット位置がスロット底部に近づくほど固有振動数は低下する。さらに，ステータをシェルに焼きばめする際の強度や，ヨークに流れる磁束の均一性から，スリット位置はスロット底部とステータ外径部の中央部がよいが，固有振動数をさらに低減したいときは，さらにスロット底部寄りに設けてもよい。
【００３８】また，スリット１７の長さは，スロット底部１８ｂの長さとほぼ同等である。ここでいうスロット底部とは，スロット１８そのものを，半径方向に伸びたティース本体部１４の幅方向の両端部であるスロット側部１８ｓと，スロット底部１８ｂと，ティース先端部１５の幅方向の両端部であるスロット入り口部１８ｉからなるものとしたとき，スロット底部１８ｂとスロット側部１８ｓとの交点付近のフィレットまたは面取りを含む範囲であるが，これより若干短くてもよい。
【００３９】スリット形状は，スロット底部１８ｂまたはステータコア外周部１１ｏ，またはその双方と相似形の円弧形状であり，そのスリット幅は，できるだけ小さいほどよい。このようにすると，磁路としてのヨーク部の幅が均一であり，磁束の流れがスムースであるため鉄損が低減できる。スリット幅は，打ち抜きの関係から，０．２ｍｍ〜０．３ｍｍ（または０．５ｍｍ以下）程度がよい。」
　
・「【００４０】このとき，回転方向に見て，スリット１７がない部分においては，ステータコア外周に切り欠き２７を有することにより，圧縮機のシェル２０との接触を有さない。すなわち，ステータコア外周のうち，ティース本体部を半径方向に延長した部分には，圧縮機のシェル２０と離れており，その他の部分はヨーク部１６にスリット１７を有する。ここで，切り欠きは，略半円形状，長方形，直線状の切り欠きであってもよい。
【００４１】なお，これの切り欠き２７は，ステータ１０が圧縮機のシェル２０に焼きばめ圧入された時，圧縮機のシェル２０とステータコア１１との間に貫通孔を有することになり，冷媒の通路となる。
【００４２】互いに隣接するティースが対極となる場合，図４に示すような形状にて振動する。ここで，ヨークを変形させようとする力は，スリット１７より内側で振動し，または，切り欠き２７により，圧縮機のシェル２０には伝達しない。したがって，ステータコアの固有振動数を適切になるようにすれば，圧縮機のシェル２０の固有振動数によらず，特にキャリア周波数による共振に起因するような騒音を低減することが可能である。
【００４３】上記構成を有するモータを防振材料を自由に使用できないエアコンや冷蔵庫等に用いられる密閉型圧縮機に用いると，防振材料を使用しないですむ本方法は好適である。特に，スクロール型の圧縮機のように，ステータコア外周を，シェル２０に焼きばめする場合，ステータコアの振動がそのままシェル２０の振動に伝わる可能性が高いため，特に効果的である。」
　
・「【００４９】
【発明の効果】上記実施例の記載から明らかなように，請求項１に記載の発明によれば，隣接する対極のティースが引き合うことにより発生するヨーク部の振動を圧縮機のシェルに伝達しないようにし，騒音を低減できる。」
　
・【図１】には，略環状のヨーク部１６の内周部に６本のティース１２が配置されていること，及び，ステータ１０の内周に僅かな空隙を介してロータ８０が対向していることが開示されている。
　
　これらの記載事項及び図示内容を総合すると，引用例１には以下の発明（以下，「引用発明」という。）が記載されている。
　
「略環状のヨーク部１６と前記ヨーク部の内周部に配置された６本のティース１２とを有し，６本の前記ティース１２間にスロット１８が設けられたステータコア１１の前記ティース１２に絶縁物を介して直接３相巻線１３Ｕ，１３Ｖ，１３Ｗを施してなるステータ１０と，前記ステータ１０の内周に僅かな空隙を介して対向し，回転自在に保持され，ロータコア８１内部に永久磁石８２を埋設してなるロータ８０により構成され，前記ステータコア１１の外周の一部が圧縮機のシェル２０に焼きばめ圧入されている永久磁石埋込型モータにおいて，前記ティース１２のティース本体部１４を半径方向に延長した部分に位置する前記ヨーク部１６に，シェル２０とステータコア１１との間に貫通孔を形成し冷媒の通路となる切り欠き２７を設け，かつ前記スロット１８のスロット底部１８ｂとステータ外周部１１ｏとの間にスリット１７を設けることで，前記ステータコア１１の外周が前記切り欠き２７の箇所にて前記シェル２０と接触しない構成としたモータ。」
　
４．対比
　本願発明と引用発明とを対比すると，
　・後者の「略環状のヨーク部１６」は前者の「環状のヨーク」に相当し，
　・後者の「６本のティース１２」は前者の「複数のティース」に相当し，
　・後者の「スロット１８」は前者の「スロット」に相当し，
　・後者の「ステータコア１１」は前者の「固定子鉄心」に相当し，
　・後者の「ティース１２に絶縁物を介して直接３相巻線１３Ｕ，１３Ｖ，１３Ｗを施してなる」態様は前者の「ティースに３相集中巻線を施してなる」態様に相当し，
　・後者の「ステータ１０」は前者の「固定子」に相当し，
　・後者の「ロータコア８１」は前者の「回転子鉄心」に相当し，
　・後者の「ロータコア８１内部に永久磁石８２を埋設してなる」態様は前者の「回転子鉄心内部あるいは表面に永久磁石を設けてなる」態様に相当し，
　・後者の「ロータ８０」は前者の「回転子」に相当し，
　・後者の「シェル２０」は前者の「ハウジング」に相当するから，後者の「ステータコア１１の外周の一部が圧縮機のシェル２０に焼きばめ圧入されている」態様は前者の「固定子鉄心の外周の一部が密接してハウジングに保持されている」態様に相当し，
　・後者の「永久磁石埋込型モータ」と前者の「ブラシレスモータ」とは，「同期モータ」との概念において共通し，
　・後者の「ティース１２のティース本体部１４を半径方向に延長した部分」は前者の「ティースの外周側」に相当し，
　・後者の「シェル２０とステータコア１１との間に貫通孔を形成し冷媒の通路となる切り欠き２７」は前者の「軸方向に貫通する貫通穴」に相当する。
　また，引用発明の「スリット１７」を設けることの技術的意義は，引用例１の段落【００４９】に記載されるように「ヨーク部の振動を圧縮機のシェル２０に伝達しないようにし，騒音を低減」することにあると認められ，また，「スリット１７」の存在により，シェル２０からステータ外周部１１ｏに作用する応力が軽減されることも自明であり，本願発明の「切り欠き」を設けることの技術的意義は，本願明細書の段落【００３８】に記載されるように「切欠き部からハウジングに振動が伝わることがなく，さらにヨークに応力が加わらないことで鉄損が低下し，電動機の振動，騒音を低減させたうえに高効率化を図る」ことにあると認められるから，後者の「スロット１８のスロット底部１８ｂとステータ外周部１１ｏとの間にスリット１７を設ける」態様と前者の「スロットの外周側に位置するヨークの外周に切欠き部を設ける」態様とは，「ヨークの振動をハウジングに伝達させず，ハウジングからヨークに作用する応力を軽減させる空間を設ける」との概念において共通する。
　さらに，
　・後者の「ステータコア１１の外周が切り欠き２７の箇所にてシェル２０と接触しない構成」と前者の「固定子鉄心の外周が貫通穴及び切欠き部の箇所にてハウジングと接触しない構成」とは，「固定子鉄心の外周が貫通穴の箇所にてハウジングと接触しない構成」において共通している。
　
　してみると，両発明の一致点及び相違点は以下のとおりである。
　
［一致点］
「環状のヨークと前記ヨークの内周部に配置された複数のティースとを有し，複数の前記ティース間にスロットが設けられた固定子鉄心の前記ティースに３相集中巻線を施してなる固定子と，前記固定子の内周に僅かな空隙を介して対向し，回転自在に保持され，回転子鉄心内部あるいは表面に永久磁石を設けてなる回転子により構成され，前記固定子鉄心の外周の一部が密接してハウジングに保持されている同期モータにおいて，前記ティースの外周側に位置する前記ヨークに，軸方向に貫通する貫通穴を設け，かつ前記ヨークの振動を前記ハウジングに伝達させず，前記ハウジングから前記ヨークに作用する応力を軽減させる空間を設けることで，前記固定子鉄心の外周が前記貫通穴の箇所にて前記ハウジングと接触しない構成を有する電動機。」
　
［相違点１］
　「同期モータ」に関して，本願発明では「ブラシレスモータ」とされているのに対して，引用発明では「永久磁石埋込型モータ」とされている点。
　
［相違点２］
　「ヨークの振動をハウジングに伝達させず，ハウジングからヨークに作用する応力を軽減させる空間を設ける」ことに関して，本願発明では「スロットの外周側に位置するヨークの外周に切欠き部を設ける」のに対して，引用発明では「スロット１８のスロット底部１８ｂとステータ外周部１１ｏとの間にスリット１７を設ける」点。
　
［相違点３］
　「固定子鉄心の外周が貫通穴の箇所にて前記ハウジングと接触しない構成」に関して，本願発明では，更に「切欠き部の箇所」においてもハウジングと接触しない構成とされている点。　
　
５．判断　
　上記各相違点について以下に検討する。
　
（１）［相違点１］について
　「同期モータ」として，「ブラシレスモータ」は特に例示するまでもなく周知であり，引用発明の「永久磁石埋込型モータ」を「ブラシレスモータ」とすることは，当業者が適宜なし得た事項である。
　
（２）［相違点２］及び［相違点３］について
　原査定の拒絶の理由に引用されると共に，当審における拒絶の理由においても引用した
　　特開平１１−８９１９５号公報（以下，「引用例２」という。）
には，ステータが通電中に楕円形に変形して騒音が発生することを防止するために，
「スロット（引用例２の各「凸状部１１Ａ〜１１Ｄ」の間が相当。以下，本段落において括弧内同様。）の外周側に位置するヨーク（「ステータコア１」が相当）の外周に切欠き部（各「突起１２Ａ〜１２Ｄ」の間の空間が相当）を設けることで，固定子鉄心（「ステータコア１」が相当）の外周が前記切欠き部の箇所にてハウジング（「ステータホルダ２」が相当）と接触しない構成」 
が開示されている。 
　また，引用例２の段落【０００９】には，ステータホルダ２からステータコア１に作用する予圧力Ｆが，突起１２Ａ〜１２Ｄを介して作用することが開示されているから，ステータコア１の各突起１２Ａ〜１２Ｄの間に位置する部分の応力が軽減されることは明らかである。 
　
　そして，引用発明に記載された「スリット１７」と引用例２に開示された各「突起１２Ａ〜１２Ｄ」の間の空間とは，楕円振動をハウジングに伝えないようにするという共通の機能を有することから，引用発明に記載されたスリット１７が形成される周方向位置に対応するヨーク部１６の外周に，同スリットに代えて，引用例２に記載された各「突起１２Ａ〜１２Ｄ」の間の空間を設けるようにし，上記相違点２に係る本願発明の構成とすることは，当業者が容易に想到し得た事項である。 
　また，上記のようにすることにより，上記相違点３に係る本願発明のように，固定子鉄心の外周が「切欠き部の箇所」においてもハウジングと接触しない構成となることも自明である。
　
　さらに，本願発明の「切欠き部」，引用発明の「スリット１７」及び引用例２に開示された各「突起１２Ａ〜１２Ｄ」の間の空間は，上述のとおり，いずれも共通の機能・作用を有することから，本願発明の全体構成により奏される作用・効果は，引用発明及び引用例２に開示された技術的事項から，当業者が予測できた範囲内のものである。
　
６．むすび
　以上のとおり，本願発明は，引用発明１及び引用例２に開示された技術的事項に基づいて，当業者が容易に発明をすることができたものであるから，特許法第２９条第２項の規定により特許を受けることができない。
　したがって，その余の請求項について論及するまでもなく，本願は拒絶すべきものである。
　よって，結論のとおり審決する。